(57)【特許請求の範囲】
【請求項１】
コインの送り出し装置(A)と、前記送り出し装置(A)から送り出されたコインが通るコイン通路(B)と、前記コイン通路(B)を通るコインを案内する検知案内部(2C)と、前記検知案内部(2C)付近に配置され、正常時は前記検知案内部(2C)を通過するコインと接触しないが前記検知案内部(2C)にコインが滞留した場合前記滞留コインによって移動される検知体(C)と、前記検知体(C)の移動に連動して前記検知案内部(2C)よりも上流側のコイン搬送通路(F)に進出し、前記コイン送り出し装置(A)によって送り出されるコインを前記コイン通路(B)に向かわせないよう逸らす方向転換体(23)と、前記検知体(C)と前記方向転換体(23)とを弾性的に連結するフレキシブル連結体(E)と、を有するコインホッパ。
【請求項２】
前記コイン通路の下側は前記送り出し装置側から順に配置された誘導部(2B)、検知案内部(2C)によって画定され、前記検知案内部(2C)は、前記誘導部(2B)の下流側にあって前記誘導部(2B)と段差(6)を有している請求項１のコインホッパ。
【請求項３】
前記検知案内部(2C)は、前記コイン通路(B)のコイン出口(136)直前に位置している請求項１又は２のコインホッパ。
【請求項４】
前記フレキシブル連結体(E)は、弾性体(12,30)である請求項１、２、又は３のコインホッパ。
【発明の詳細な説明】
【０００１】
【発明が属する技術分野】
本発明は、コインを１個ずつ区分けして放出するコインホッパに関する。
なお、本明細書で使用する「コイン」は、通貨であるコインの他、ゲーム機のメダルやトークン等の代用貨幣または類似のものをも包含する。
【０００２】
【従来の技術】
コインホッパは、例えばゲーム機に内蔵される。
すなわち、図９において１００はゲーム機である。
１０１は内蔵されたコインホッパである。
１０２はコインの放出口である。
１０３はコイン投入口である。
コインホッパ１０１は、例えば米国特許第４５８９４３３号に開示のものと同様である。
【０００３】
コインホッパ１０１の概要を、図１０を参照して説明する。
水平配置されるベース１１０に固定されたフレーム１１１に約６０度の角度で取り付けられたほぼ円板形のホッパベース１１２を有する。
ホッパベース１１２の裏面側にはモーター１１３が固定されている。
ホッパベース１１２の表面側にコイン送り出し装置Ａを構成する回転ディスク１１４が配置されている。
【０００４】
回転ディスク１１４は、前記モーター１１３から図示しない減速機を介して回転駆動される。
回転ディスク１１４の周縁部は段１１５を形成してリング状のコイン載置面１１６を形成してある。
コイン載置面１１６には所定間隔でピン１１７が固定してある。
１１８は回転ディスク１１４の外周を囲うようにホッパベース１１２に固定した円筒状のホッパリングである。
１１９はホッパリング１１８に開口端を宛って取り付けたバケツ状のコインボウルである。
コインボウル１１９の上側側壁にコイン投入開口１２０が形成してある。
【０００５】
１２１は受け取りナイフであって、基部をホッパベース１１２に固定してある。
ナイフ１２１の先端部は、段１１５に近接している。
１３０はコインカウンタであり、ホッパベース１１２に固定した固定軸１３１と、固定軸１３１に中間を揺動自在に取り付けたレバー１３２と、ナイフ１２１に相対してレバー１３２の先端部に取り付けたカウントローラ１３３と、レバー１３２の所定位置までの回動を検知するカウントセンサ（図示せず）とよりなっている。
前記ナイフ１２１の基部にはガイド板１３４が被せてある。
【０００６】
レバー１３２は、図示しないスプリングにより反時計回り方向に回転力を付与されている。
ホッパベース１１２と、ガイド板１３４と、ナイフ１２１基部上面とでコイン通路１３５を構成している。
コイン通路１３５の端面がコイン出口１３６になっている。
【０００７】
次にゲーム機１００におけるコインの流れを説明する。
プレイヤーは、コイン投入口１０３にコインを投入してゲームを行う。
投入されたコインは、図示しないダクトにより案内されて開口１２０からコインボウル１１９に入る。
プレイにより当選すると、ゲーム機１００の制御回路（図示せず）はコインの払い出し信号を出力する。
【０００８】
ゲーム機１００の制御回路からコインの払い出し信号を受けるとコインホッパ１０１のモーター１１３が回転される。
モーター１１３の回転により回転ディスク１１４が図８において反時計回り方向に回転される。
回転ディスク１１４の回転により、コインボウル１１９内のコインは撹拌され、姿勢が変化する。
【０００９】
前記姿勢変化によりコイン載置面１１６に平面部が面接したコインは、ピン１１７に係止される。
係止されたコインは、段１１５により周面を支えられつつ回転ディスク１１４に連行される。
ナイフ１２１に到達するとコインは、ナイフ１２１によりすくい上げられる。
【００１０】
この後コインは、ナイフ１２１の上縁に支えられつつピン１１７によりコイン通路１３５側に押し出される。
この途上でコインはカウントローラ１３３を押し上げて通過する。
カウントローラ１３３の押し上げによりレバー１３２は時計回り方向に回転されるので、図示しないカウントセンサにより検知される。
カウントセンサは、放出コイン数「１」を意味するカウント信号を出力する。
【００１１】
カウント信号を受けたゲーム機１００の制御回路は、放出所定数になった場合、放出を終了するため、モーター１１３の回転を停止する。
カウントローラ１３３を通過したコインは、コイン通路１３５に押し出され、コイン出口１３６から放出される。
放出されたコインは、ダクトを通ってコイン払い出し口１０２に達する。
【００１２】
最近、放出口１０２から手を挿入してコイン出口１３６を塞ぐことにより不正を働く者がいる。
すなわち、出口１３６がふさがれた場合、コイン通路１３５にコインが多数詰め込まれてコイン自身で栓をした状態になる。
【００１３】
このため、モーター１１３は、過負荷になるので過電流が検出されて自動的に停止される。
あるいは、コインカウンタ１３０からカウント信号が所定時間発信されないのでゲーム機１００の制御回路が異常処理を行ってモーター１１３を停止する。
不正者は、放出されるべきコイン数に満たないとしてクレームを付けることにより、余分にコインを入手する手口である。
【００１４】
【発明が解決しようとする課題】
本発明は、コインホッパのコイン出口を塞がれたことを早期に検知することにより、前記のような不正を防止することを目的とする。
第２の目的は、コイン出口を塞がれたことを検知してコインの排出を停止することである。
第３の目的は、コインの排出を停止する装置を安価に製作することである。
【００１５】
【課題を解決するための手段】
この目的を達成するため本発明のコインホッパは、以下のように構成されている。コインの送り出し装置と、前記送り出し装置から送り出されたコインが通るコイン通路と、前記コイン通路を通るコインを案内する検知案内部と、前記検知案内部付近に配置され、正常時は前記検知案内部を通過するコインと接触しないが前記検知案内部にコインが滞留した場合前記滞留コインによって移動される検知体と、前記検知体の移動に連動して前記検知案内部よりも上流側のコイン搬送通路に進出し、前記コイン送り出し装置によって送り出されるコインを前記コイン通路に向かわせないよう逸らす方向転換体と、前記検知体と前記方向転換体とを弾性的に連結するフレキシブル連結体と、を有するコインホッパである。
【００１６】
この構成によれば、コイン通路の出口が塞がれた場合、排出を阻止されているコインは検知案内部に位置している。
この検知案内部に位置するコインにより直接的或いは間接的に検知体が移動される。
【００１７】
この移動により、方向転換体をフレキシブル連結体を介してコインの搬送経路に弾性的に進出させる。コインの搬送経路を進行してきたコインは、この方向転換体に係合してコインの搬送経路から外される。このとき、フレキシブル連結体で検知体と方向転換体とを弾性的に連結してあるので、検知体の位置が変動しても方向転換体の位置は変化することがないので、安定してコインを搬送経路から外すことができる。よって、異常状態でのコイン払い出し数を少なくできるので、不正防止に大きな効果がある。また、検知体と方向転換体とをフレキシブル連結体で弾性的に連結するという簡単な構成であるので、安価に製作できる利点がある。
【００１８】
また本発明は、コイン通路の下側は前記送り出し装置側から順に配置された誘導部、検知案内部によって画定され、前記検知案内部は、前記誘導部の下流側にあって前記誘導部と段差を有していることが好ましい。この構成によれば、前位のコインは常に後位のコインよりも下方にある。したがって、後位のコインは前位のコインに乗りあがって常に上方に移動する。よって、異常な場合のみ重力に反してコインが変位するので作動が安定し、検知体による検知を確実に行うことができる。
【００１９】
また、本発明は、検知案内部がコイン通路のコイン出口直前に位置していることが好ましい。
この構成によれば、コイン通路出口でコインが停止した場合、このコインが検知案内部に位置している。
よって、次のコインが変位して検知体を移動させる。
この移動を利用してコインの放出を停止することができる。
したがって、異常状態でのコインの放出数を極めて少なくできる。
【００２０】
また、本発明は、フレキシブル連結体が弾性体であることが好ましい。
この構成により、弾性体という簡単な構成であるので、安価に製造することができる。
【００２１】
【発明の実施の形態】
図１は実施例のコインボウルを外した状態の斜視図。
図２は実施例の部分斜視図。
図３は実施例の部分正面図。
図４は実施例のカバーの背面図。
図５は実施例の異常状態の作用説明図。
図６は実施例の異常状態の作用説明図。
図７は、フレキシブル連結体の別の例
図８は、フレキシブル連結体の更に別の例
【００２２】
従来技術と同一部には同一符号を付し、異なる構成を説明する。
図１は、コインボウル１１９を取り外した状態のコインホッパ１０１を右斜め上方から見た斜視図である。
コインの送り出し装置Ａは、従来装置と同じく回転ディスク１１４とピン１１７で構成してある。
【００２３】
次に図２、図３、図４を参照してコイン通路Ｂを説明する。
コイン通路Ｂは、ホッパベース１１２と、下側案内体２と、上側案内体３と、カバー４とにより、構成されている。
コイン通路Ｂは、左下がりに傾斜している。
【００２４】
次に、下側案内体２の構造を説明する。
図２に示すように、平板状カバー４の下縁部を回転ディスク１１４及びホッパベース１１２側に直角に折り曲げて下側案内体２を形成している。
この折り曲げ量は、コインの厚みよりも僅かに大きい程度である。すなわち、コイン１枚の厚みよりも大きく、２枚の厚みよりも小さい。
【００２５】
下側案内体２は、載置面１１６に相対する第１案内片２Ｘと、ホッパベース１１２と載置面１１６とに相対する誘導片２Ｙと、ホッパベース１１２に相対する検知案内片２Ｚとを有する。
第１案内片２Ｘと誘導片２Ｙは、ナイフ１２１の先端上面１２１Ｓに対しコイン出口１３６側に下降する直線上に位置している。
第１案内片２Ｘと誘導片２Ｙとの間隙は、ピン１１７が通過するための通路２Ｓである。
【００２６】
第１案内片２Ｘの上面が、ナイフ１２１の先端上面１２１Ｓにほぼ連続する直線状かつ左下がり斜面の第１案内部２Ａである。
誘導片２Ｙの上面が、直線状かつ第１案内面２Ａと同じ傾斜角度の誘導部２Ｂである。
検知案内片２Ｚの上面が、直線状かつ第１案内部２Ａよりも僅かに傾斜角度が小さい左下がり斜面の検知案内部２Ｃである。
【００２７】
第１案内部２Ａと誘導部２Ｂとの延長線は、検知案内部２Ｃの延長線と交差する。
誘導部２Ｂと検知案内部２Ｃとの間には高さＨの段差６がある。
この実施例のように、カバー４の下縁部を折り曲げて第１案内部２Ａ、誘導部２Ｂ、検知案内部２Ｃを形成した場合、平板をプレス加工することで成形できるので安価に製作することができる。
【００２８】
上側案内体３の厚みは、前記下側案内体２の折り曲げ量と同一である。
すなわち、コイン１枚の厚みよりも大きく、２枚よりは小さい。
上側案内体３は、第１案内部２Ａに相対し、かつ、全体として第１案内部２Ａよりも傾斜角度が僅かに大きい第２案内部３Ａと、第１案内部２Ａ及び誘導部２Ｂに相対位置する凹状の凹状案内部３Ｂと、誘導部２Ｂに相対し、かつ、凹状案内部３Ｂに連続する凹状の第３案内部３Ｃと、第３案内部３Ｃに連続しほぼ水平の第４案内部３Ｄとが形成してある。
【００２９】
したがって、コイン通路Ｂは、第１案内部２Ａと第２案内部３Ａにより上下を区画された台形状の導入通路Ｂ１と、第１案内部２Ａ及び誘導部２Ｂと凹状案内部３Ｂにより上下を区画された山形の駆動通路Ｂ２と、誘導部２Ｂと第３案内部３Ｃとにより上下を区画された台形状の第３通路Ｂ３と、検知案内部２Ｃと第４案内部３Ｄとにより上下を区画された出口通路Ｂ４とより構成されている。
【００３０】
出口通路Ｂ４の開放端面が、コイン出口１３６である。
コイン通路Ｂは、図３に図示するように全体としてコイン出口１３６に向かって左下がりに下降し、凹状案内部３Ｂ及び第３案内部３Ｃによって鋸歯のように波形になっている。
この通路Ｂの厚みは、コインが二枚重ならない寸法である。
【００３１】
次に検知体Ｃの構成を説明する。
第３通路Ｂ３の第３案内部３Ｃの相対位置のカバー４に弧状長孔４Ｈが形成されている。
この弧状長孔４Ｈは、段差６から離れる方向に伸びている。
【００３２】
１０はカバー４に固定した固定軸である。
１１は検知レバーであって、板材をチャンネル状に成形して一対の側板１１Ａ、１１Ｂとそれらの接続板１１Ｃとを有する。
前記側板１１Ａ、１１Ｂは、固定軸１０に回転自在に取り付けてある。接続板１１Ｃは、弧状溝４Ｈを貫通して第３通路Ｂ３に突出する検知片１４を有している。
【００３３】
弧状長孔４Ｈの下側端部は、検知片１４と係合して、検知片１４の回動を停止するストッパも兼ねている。
弧状長孔４Ｈにより位置規制されている際の検知片１４の位置は、コインホッパ１０１が正常に作動している場合、コインが第３通路Ｂ３を通過するときコインと接触しない。
この検知片１４が、検知体Ｃの最小構成単位である。
なお、この検知片１４にローラを回転自在に取り付けて検知体としても良い。
【００３４】
次に図２、３を参照して方向転換装置Ｄの構成を説明する。
方向転換装置Ｄは、検知レバー１１と方向転換レバー２１及びフレキシブル連結体Ｅとを含んでいる。
固定軸１０に方向転換レバー２１の基部が回転自在に取り付けてある。
方向転換レバー２１は、板材により形成されている。
この方向転換レバー２１の基部は断面チャンネル状に形成され、それら側壁２１Ａ、２１Ｂを固定軸１０に回転自在にとりつけてある。
【００３５】
方向転換レバー２１の先端部は、カウントローラ１３３よりも回転ディスク１１４の上流側に位置し、下向き三角形状に形成してある。
この三角形状部が方向転換体２３であり、回転ディスク１１４の載置面１１６を含む平面から遠ざかる方向の押し上げ斜面２３Ｓを有している。
【００３６】
検知レバー１１と方向転換レバー２１とはフレキシブル連結体Ｅにより連結し、所定の条件において検知レバー１１と方向転換レバー２１とが一体的に回転し、所定の条件において検知レバー１１のみが回転できるようにしてある。
すなわち、中間部を固定軸１０に巻かけ、一端を方向転換レバー２１に掛け止め、他端を接続板１１Ｃの上面に掛止した弾性体であるスプリング１２がフレキシブル連結体Ｅである。
この弾性体は、ゴムであってもよい。
【００３７】
これにより、図２において方向転換レバー２１は検知レバー１１に対して時計回り方向に回転力を付与され、検知レバー１１のストッパ１１Ｓに突き当たって検知レバー１１と一体の直状をしている。
しかし、方向転換装置Ｄが時計回り方向に回動されて方向転換レバー２１の先端が回転ディスク１１４の周面に当接した以降は、検知レバー１１のみが時計回り方向に回動できる。
【００３８】
このとき、検知レバー１１と方向転換レバー２１とは図５、６に図示するようにジャックナイフ状になるが、方向転換レバー２１にはフレキシブル連結体Ｅの付勢力により所定値以上の回転力が与えられる続けるので、前記回転ディスク１１４と当接した状態を継続する。
【００３９】
コイン搬送通路Ｆは、回転ディスク１１４によって搬送されるコインの通路である。
方向転換レバー２１の先端が回転ディスク１１４の周面に当接した状態において、押し上げ斜面２３Ｓはコイン載置面１１６から離れるよう位置する。
カバー４は、上側案内体３を挟んでクランク状のサポート板２５をスクリュウ等で固定して倒立凹部を構成し、その倒立凹部をホッパベース１１２に被せて固定してある。
なお、４Ａはカバー４にコイン通路Ｂに沿って形成したのぞき窓である。
【００４０】
したがって、カバー４の下端部はフリー状態であるので、コインにより変形しないよう、出口通路Ｂ４部のカバー４に下端部と上端部をホッパベース１１２にスクリュウで固定した補強板２７を宛って変形しないようにしてある。
また、補強板２７から突出する係止片２７Ｓと検知レバー１１との間に引っ張りスプリング２８を掛止めしてある。
これにより、検知体Ｃ、したがって方向転換装置Ｄは常時反時計回り方向に回転力を付与されて検知片１４が弧状長孔４Ｈの下端に係止されている。
【００４１】
検知片１４が弧状長孔４Ｈの下端に係止されている場合、図３に図示するように方向転換装置Ｄは最も反時計回り方向に回転した状態で静止している。
すなわち、方向転換レバー２１がフレキシブル連結体Ｅの付勢力により回転されてストッパ１１Ｓに係止され、方向転換体２３の先端２３Ｔはコイン搬送通路Ｅの外に位置している。
これにより、載置面１１６に載って送り出されるコインは方向転換体２３と接触しない。
【００４２】
次に実施例の作用を説明する。
まず、正常にコインホッパ１０１が作動している場合を説明する。
前述したように、検知片１４は弧状長孔４Ｈの下側の壁に係止された状態にある。
方向転換体２３の先端部は、図３のように最も時計方向に回転した状態にあるのでコイン搬送通路Ｆから外れた位置にある。
【００４３】
回転ディスク１１４の回転により、ピン１１７に押されて載置面１１６に乗ってきたコインは、ナイフ１２１の先端上面１２１Ｓによりすくわれる。
すくわれた後、コインは、先端上面１２１Ｓ上をピン１１７に押されて図で左方へ移動する。
【００４４】
この移動過程でコインは、方向転換体２３の下方を通過する。
その後、コインは、ピン１１７に更に押されて先端上面１２１Ｓから下側案内体２の第１案内部２Ａに移動する。
この移動過程において、コインは、カウントローラ１３３を押し上げて通過する。
このカウントローラ１３３の押し上げにより、レバー１３２が時計回り方向に回動されるので、これを図示しないセンサで検知し、コインのカウント信号を得る。
【００４５】
この後、コインは、第１案内部２Ａ、誘導部２Ｂ、検知案内部２Ｃ上を順次転がって導入通路Ｂ１及び駆動通路Ｂ２、第３通路Ｂ３、出口通路Ｂ４を通過する。
そして、コインは、コイン出口１３６から放出される。
【００４６】
次に、不正者がコイン出口１３６を手で塞いだ異常状態の作用を図５及び図６を参照して説明する。
なお、図５では方向変換装置Ｄは最も反時計回り方向に回転した状態にあるが、便宜上最も時計回り方向に回転した状態にしてある。
コイン出口１３６が塞がれると、先ず一番コインＺ１が第３通路Ｂ３と第４通路Ｂ４に跨って滞留する。
次に送り出された二番コインＺ２は、誘導部２Ｂに下周面が接した状態で前位の一番コインＺ１に進行を阻止されて第３通路Ｂ３に滞留する。
【００４７】
３個目の三番コインＺ３は、第１案内部２Ａ上を転がって前位の二番コインＺ２に進行を阻止され、駆動通路Ｂ２に滞留する。
次に４番コインＺ４はピン１１７に押されてナイフ１１２の先端上面１２１Ｓから第１案内部２Ａに移動する。
この移動により、三番コインＺ３は駆動通路Ｂ２に沿ってコイン出口１３６側へ押されて前位の二番コインＺ２を押す（図５）。
コイン通路Ｂにおいてコインは、ホッパベース１１２、カバー４により厚み方向の重なりを規制されて一列に並んで進行する。
【００４８】
三番コインＺ３が二番コインＺ２を押す力Ｆ１の方向は、案内される誘導部２Ｂと平行である。
二番コインＺ２が一番コインＺ１を押す力は、段差６のため、一番コインＺ１との接触点Ｐ１と二番コインＺ２との中心を結ぶ線上になる。
したがって、図５に示すように、二番コインＺ２には、コインＺ１の反力Ｆ２と三番コインＺの押し力Ｆ１とが加わる。
【００４９】
それら反力Ｆ２と押し力Ｆ１とは、鈍角をなしているので、二番コインＺ２には、第３案内部３Ｃ側に向かう力Ｆ３が作用する。
よって、二番コインＺ２は、検知片１４に向かって押し出される。
押し出された二番コインＺ２は、第３案内部３Ｃを区画する壁面と検知片１４とによりその移動を規制され、図５の実線示の位置になる。
この移動により二番コインＺ２は、検知片１４を押し上げる。
これにより、検知レバー１１は時計回り方向に回転される。
検知レバー１１の回転により、方向転換レバー２１も一体に回転する。
【００５０】
方向転換体２３の先端部２３Ｔは、コイン搬送通路Ｆに進出し、回転ディスク１１４の周縁に当接する。
この後、四番コインＺ４は、二番コインＺ２の第３案内部３Ｃ側への移動後、ピン１１７の更なる回転により押される。
これにより、四番コインＺ４は三番コインＺ３により進行を阻止されているので、凹部案内部３Ｂ側へ移動する。（図６参照）
この移動過程で四番コインＺ４は、カウントローラ１３３を時計回り方向へ回転させて三番コインＺ３とカウントローラ１３３との間を通過する。
【００５１】
この後、カウントローラ１３３は図示しないスプリング力により元の位置に復帰する。
したがって、四番コインＺ４は、三番コインＺ３とカウントローラ１３３とに支えられて駆動通路Ｂ２の第１案内部２Ａから離れた凹状案内部３Ｂ側に位置する。
これにより、検知レバー１１が更に時計回り方向に回転され、フレキシブル連結体であるスプリング１２を更に変形させるが、方向転換レバー２１は方向転換体２３が回転ディスク１１４に当接した状態を継続する。
また、コインカウンタ１３０は前記四番コインＺ４の移動によりカウントを行う。
また、四番コインＺ４は、ピン１１７が移動してきても接触することがない。
【００５２】
さらにまた、ピン１１７は回転ディスク１１４の回転に伴って三番コインＺ３にも下方から接触して少し持ち上げる。
この時、上部案内体３の下面が誘導部２Ｂから十分離れているので、三番コインＺ３は、阻止されることなく移動する。
よって、回転ディスク１１４は何ら拘束されることなく回転を続ける。
また、この三番コインＺ３の移動は、ピン１１７が通過するたびに行われる。
【００５３】
方向転換体２３が回転ディスク１１４に当接している方向転換位置にある場合、コイン載置面１１６に乗ってピン１１７に押されてきたコインは、方向転換体２３の持ち上げ斜面２３Ｓに係合する。
持ち上げ斜面２３Ｓは、回転ディスク１１４から遠ざかるほどコイン載置面１１６から離れる傾斜（紙面に対して垂直方向の傾斜）を有している。
したがって、コインの上端部は持ち上げ斜面２３Ｓによってコイン載置面１１６から離され、コインボウル１１９側へ起こされる。
【００５４】
これにより、コインはナイフ先端上面１２１Ｓから落下し、カウントローラ１３３に到達しない。
したがって、コイン出口１３６が塞がれた場合、コインがコイン通路Ｂで詰まることがない。
また、一番コインＺ１を押さえる力が変動して一番コインＺ１がコイン出口１３６から僅かに突出して二番コインＺ２の位置が下がって検知レバー１１が僅かに反時計回り方向に回動した場合でも、ストッパ１１Ｓが方向転換レバー２１と係合して一体に移動するようになるまでは方向転換体２３が回転ディスク１１４に当接しているので、コインをコイン通路Ｂに送り出すことがない。
また、この例では４個以上コインの放出を行わないので不正心をそそらない効果がある。
【００５５】
なお、本発明は各種の変更が可能である。
フレキシブル連結体Ｅは、所定範囲では検知レバーと方向転換体が一体に移動し、別の所定範囲では検知レバーのみが移動する機能であれば他の構造でも良い。
例えば、図７に図示するように方向転換装置Ｄを、検知レバー１１と方向転換レバー２１とを板バネ３０で連結して一体に構成してもよい。
すなわち、板バネ３０がフレキシブル連結体Ｅである。
【００５６】
また、図８に図示するように、検知レバー１１と方向転換レバー２１とを固定軸１０に回転自在に取り付け、検知レバー１１と方向転換レバー２１のそれぞれに固定した永久磁石３１Ａと３１Ｂとが引き合うようにしてもよい。
この場合、永久磁石３１Ａと３１Ｂとがフレキシブル連結体Ｅである。
もちろん、永久磁石の反発力を使ってフレキシブル連結体Ｅを構成することもできる。
この他、重りを活用してフレキシブル連結体を構成しても良い。
【００５７】
コイン送り出し装置は、コイン通過孔を有する回転ディスクであってもよい。
また、検知体はコインの側面に係合してコインの滞留を検知するようにしてもよい。
【００５８】
【図面の簡単な説明】
【図１】図１は実施例のコインボウルを外した状態の斜視図
【図２】図２は実施例の要部斜視図
【図３】図３は実施例の要部正面図
【図４】図４は実施例のカバーの背面図
【図５】図５は実施例の異常状態の作用説明図
【図６】図６は実施例の異常状態の作用説明図
【図７】図７は、フレキシブル連結体の別の例
【図８】図８は、フレキシブル連結体の更に別の例
【図９】図９は、コインホッパが内蔵されるゲーム機の斜視図
【図１０】図１０は、従来のコインホッパの概要斜視図
【００５９】
【符号の説明】
送り出し装置          Ａ
コイン通路            Ｂ
検知体                Ｃ
フレキシブル連結体    Ｅ
誘導部                ２Ｂ
検知案内部            ２Ｃ
段差                  ６
スプリング            １２
方向転換体            ２３
コイン出口            １３６
【図１】
0004318068.tif 000002
【図２】
0004318068.tif 000003
【図３】
0004318068.tif 000004
【図４】
0004318068.tif 000005
【図５】
0004318068.tif 000006
【図６】
0004318068.tif 000007
【図７】
0004318068.tif 000008
【図８】
0004318068.tif 000009
【図９】
0004318068.tif 000010
【図１０】
0004318068.tif 000011